(57)【要約】【課題】  コンクリートブロックを所定角度折れ曲がった方向へと確実に移送することができ、構成が容易な移送器具を提供する。【解決手段】  移送器具１５は、平坦面上に配置された複数の硬球２３上に平板２２ａ及び２２ｂを介して設置されたコンクリートブロックを移動させるためのものであり、ガイドレール２１ｂを含む第１のガイド手段と、ガイドレール２９ｂを含む第２のガイド手段と、これらに接続されたカーブレール３１ａ及び３１ｂを備えている。カーブレール３１ａ及び３１ｂの端縁には、硬球２３の直径より大きな高さを有する丸棒３３ａ及び３３ｂが取り付けられている。したがって、平板２２ａが丸棒３３ａに当接して停止するまで右方向に移動させた後、平板２２ｂが直線部４０ｂに当接して停止するまで、直線部４０ａの端部４２を支点として時計回り方向に移動させるだけで、コンクリートブロックの進路を変更することが可能となる。【選択図】        図７
2006152642.tif 000002
【特許請求の範囲】
【請求項１】
コンクリートブロックを、平坦面に配置された複数の硬球の上に載置された平板を介して第１の移動方向から前記第１の移動方向に対して所定角度折れ曲がった第２の方向へと移動させるための移送器具であって、
前記第１の移動方向へ前記平板を移動させるために、前記平板の外周縁をガイドする第１のガイド手段と、
前記第２の移動方向へ前記平板を移動させるために、前記平板の外周縁をガイドする第２のガイド手段と、
前記第１のガイド手段と前記第２のガイド手段との間に接続され、前記平板の前記第１の方向への移動を停止させる第１のストッパー手段と、前記停止した状態の前記平板の前記第１の方向から前記第２の方向への移動を自在とすると共に前記平板の外周縁の一部に接して移動時の支点を構成する支点手段と、前記移動した平板が前記第２の方向に向かった位置で前記平板を停止させる第２のストッパー手段とからなる移動制御手段とを備えた、移送器具。
【請求項２】
前記第１のストッパー手段は、前記平坦面から上方に突出し、前記第１のガイド手段と前記第２のガイド手段とに接続されると共に、前記平板が前記第１の方向から前記第２の方向への移動に伴って通過する範囲の外周部分を囲うように伸び、
前記支点手段は、前記平坦面から上方に突出し、前記移送器具の内周側において、その一方端部が前記第１のガイド手段に接続されると共に前記第１の方向と平行に伸び、
前記第２のストッパー手段は、前記平坦面から上方に突出し、その両端の各々が前記支点手段の他方端部と前記第２のガイド手段とに接続されると共に、前記第２の方向と平行に伸び、
前記第１のストッパー手段と前記第２のストッパー手段と前記支点手段との前記平坦面からの高さは、前記硬球の直径より大きくなるように設定される、請求項１記載の設置器具。
【請求項３】
コンクリートブロックを、平坦面に配置された複数の硬球の上に載置された互いに平行に伸びる一対の平板を介して第１の移動方向から前記第１の移動方向に対して所定角度折れ曲がった第２の方向へと移動させるための移送器具であって、
前記第１の移動方向へ前記平板を移動させるために、前記平板の各々の外周縁をガイドする第１のガイド手段と、
前記第２の移動方向へ前記平板を移動させるために、前記平板の各々の外周縁をガイドする第２のガイド手段と、
前記第１のガイド手段と前記第２のガイド手段との間に接続され、前記平板の少なくともいずれか一方の前記第１の方向への移動を停止させる第１のストッパー手段と、前記停止した状態の前記平板の各々の前記第１の方向から前記第２の方向への移動を自在とすると共に前記平板の少なくともいずれか一方の外周縁の一部に接して移動時の支点を構成する支点手段と、前記移動した平板の各々が前記第２の方向に向かった位置で前記平板の少なくともいずれか一方を停止させる第２のストッパー手段とからなる移動制御手段とを備えた、移送器具。
【請求項４】
前記移動制御手段は、各々の上面が前記平坦面の一部を構成し、外周側と内周側とに配置され、各々の上面に前記硬球を介して前記平板の各々が載置される一対の水平部材を更に含み、
各々が前記平坦面より上方に突出し、前記水平部材の外方側の一方における内側の端縁と、前記水平部材の内方側の他方における外側の端縁とに沿って伸びる一対の端縁部材を更に備え、
前記第１のストッパー手段は、前記平坦面から上方に突出し、前記第１のガイド手段と前記第２のガイド手段とに接続されると共に、前記水平部材の前記一方における外側の端縁に沿って伸び、
前記支点手段は、前記平坦面から上方に突出し、その一方端部が前記第１のガイド手段に接続されると共に、前記水平部材の前記他方における内側の端縁に沿って前記第１の方向と平行に伸び、
前記第２のストッパー手段は、前記平坦面から上方に突出し、その両端の各々が前記支点手段の他方端部と前記第２のガイド手段とに接続されると共に、前記第２の方向と平行に伸び、
前記第１のストッパー手段と前記第２のストッパー手段と前記支点手段との前記平坦面からの高さは、前記硬球の直径より大きくなるように設定される、請求項３記載の設置器具。
【請求項５】
前記移動制御手段には、前記平板が前記第１の方向から前記第２の方向へと移動するのに伴って通過する範囲のうち、前記第１の方向側のほぼ半分の部分に前記硬球が配置される、請求項１から請求項４のいずれかに記載の移送器具。
【請求項６】
コンクリートブロックを、平坦面に配置された複数の硬球の上に載置された平板を介して第１の移動方向から前記第１の移動方向に対して所定角度折れ曲がった第２の方向へと移動させるための移送器具であって、
前記第１の移動方向へ前記コンクリートブロックを移動させるために、前記コンクリートブロックをガイドする第１のガイド手段と、
前記第２の移動方向へ前記コンクリートブロックを移動させるために、前記コンクリートブロックをガイドする第２のガイド手段と、
前記第１のガイド手段と前記第２のガイド手段との間に接続され、前記コンクリートブロックの前記第１の方向への移動を停止させる第１のストッパー手段と、前記停止した状態の前記コンクリートブロックの前記第１の方向から前記第２の方向への移動を自在とすると共に前記コンクリートブロックの外面の一部に接して移動時の支点を構成する支点手段と、前記移動したコンクリートブロックが前記第２の方向に向かった位置で前記コンクリートブロックを停止させる第２のストッパー手段とからなる移動制御手段とを備えた、移送器具。
【発明の詳細な説明】
【技術分野】
【０００１】
この発明は移送器具に関し、特にコンクリートブロックを移動させるために用いられる移送器具に関するものである。
【背景技術】
【０００２】
図１２は、特開２０００−２７３９３８号公報に開示されている従来のコンクリートブロックの設置方法の概略図であり、図１３は、図１２で示したＸＩＩＩ−ＸＩＩＩラインの断面図であり、図１４は、図１３で示した”Ｙ”部分の拡大図である。
【０００３】
これらの図を参照して、基礎コンクリート１９上に、プレキャストコンクリートブロックであるボックスカルバート６１ａ〜６１ｃがそれぞれ連結された状態で設置されている。そして、ボックスカルバート６１ｄが、クレーン等でワイヤー１８を介して吊下げられている。ボックスカルバート６１ｄは、基礎コンクリート１９上に吊下げられた後、図１２の水平方向の矢印で示す向きへと移動させて、他のボックスカルバート６１ｃに連結される。
【０００４】
この水平移動を容易に行うために、ボックスカルバート６１ａ〜６１ｄの下面部分は特殊な形状に形成されている。すなわち、図１４に示されるように、ボックスカルバート６１ｃの下面には、下方に突出する突起部６２が形成されると共に、突起部６２の外面を覆うように鋼板６３が取り付けられている。一方、基礎コンクリート１９には、Ｉ形鋼よりなるガイドレール６５が埋め込まれ、そのウェブ面上には複数の鋼球６６が配置されている。
【０００５】
ボックスカルバート６１ｃを基礎コンクリート１９上へと設置する際には、ボックスカルバート６１ｃの突起部６２がガイドレール６５上に位置するように配置する。すると、ボックスカルバート６１ｃの水平方向への移動時には、鋼球６６のベアリング効果によってボックスカルバート６１ｃと基礎コンクリート１９との間の摩擦抵抗が大きく低減されるため、ボックスカルバート６１ｃをスムーズに移動させることが可能となる。
【０００６】
尚、同様にしてボックスカルバート６１ａ〜６１ｄを基礎コンクリート１９上で連結状態に設置した後、これら相互のシールを確保するための締め固め作業が行われ、これらは一体化される。その後、ボックスカルバート６１ａ〜６１ｄの下部と基礎コンクリート１９との間に生コンクリートを流し込んで、ボックスカルバート６１ａ〜６１ｄを基礎コンクリート１９に固定する。
【発明の開示】
【発明が解決しようとする課題】
【０００７】
上記のような従来のコンクリートブロックの設置方法であれば、ガイドレールはＩ形鋼で形成されているため、コンクリートブロックの移動方向はほぼ直線方向に限られてしまうことになる。
【０００８】
しかし、実際には、コンクリートブロックの整列方向が必ずしも直線状ではなくカーブしている場合や、施工現場の地形によって直線方向の移動のみではコンクリートブロックを設置場所まで移動させることができない場合が存在する。このような場合には、伸びる方向の異なる直線状のガイドレール同志の間の部分で、コンクリートブロックの方向を変えるために、例えばターンテーブルのような方向転換装置が必要となる。ただし、コンクリートブロックの設置後には、上述したように、方向転換装置はガイドレールと共にコンクリートで埋められてしまうのが一般的であるため、なるべく構成が容易でコストも経済的であることが望ましい。
【０００９】
この発明は、上記のような課題を解決するためになされたもので、コンクリートブロックを所定角度折れ曲がった方向へと確実に移送することができ、構成が容易な移送器具を提供することを目的とする。
【課題を解決するための手段】
【００１０】
上記の目的を達成するために、請求項１記載の発明は、コンクリートブロックを、平坦面に配置された複数の硬球の上に載置された平板を介して第１の移動方向から第１の移動方向に対して所定角度折れ曲がった第２の方向へと移動させるための移送器具であって、第１の移動方向へ平板を移動させるために、平板の外周縁をガイドする第１のガイド手段と、第２の移動方向へ平板を移動させるために、平板の外周縁をガイドする第２のガイド手段と、第１のガイド手段と第２のガイド手段との間に接続され、平板の第１の方向への移動を停止させる第１のストッパー手段と、停止した状態の平板の第１の方向から第２の方向への移動を自在とすると共に平板の外周縁の一部に接して移動時の支点を構成する支点手段と、移動した平板が第２の方向に向かった位置で平板を停止させる第２のストッパー手段とからなる移動制御手段とを備えたものである。
【００１１】
このように構成すると、平板の第１の方向への移動は第１のストッパー手段によって停止し、平板の支点手段を介した第２の方向への移動は第２のストッパー手段によって停止する。
【００１２】
請求項２記載の発明は、請求項１記載の発明の構成において、第１のストッパー手段は、平坦面から上方に突出し、第１のガイド手段と第２のガイド手段とに接続されると共に、平板が第１の方向から第２の方向への移動に伴って通過する範囲の外周部分を囲うように伸び、支点手段は、平坦面から上方に突出し、移送器具の内周側において、その一方端部が第１のガイド手段に接続されると共に第１の方向と平行に伸び、第２のストッパー手段は、平坦面から上方に突出し、その両端の各々が支点手段の他方端部と第２のガイド手段とに接続されると共に、第２の方向と平行に伸び、第１のストッパー手段と第２のストッパー手段と支点手段との平坦面からの高さは、硬球の直径より大きくなるように設定されるものである。
【００１３】
このように構成すると、第１のストッパー手段と支点手段と第２のストッパー手段とで、平坦面が囲われた状態となる。
【００１４】
請求項３記載の発明は、コンクリートブロックを、平坦面に配置された複数の硬球の上に載置された互いに平行に伸びる一対の平板を介して第１の移動方向から第１の移動方向に対して所定角度折れ曲がった第２の方向へと移動させるための移送器具であって、第１の移動方向へ平板を移動させるために、平板の各々の外周縁をガイドする第１のガイド手段と、第２の移動方向へ平板を移動させるために、平板の各々の外周縁をガイドする第２のガイド手段と、第１のガイド手段と第２のガイド手段との間に接続され、平板の少なくともいずれか一方の第１の方向への移動を停止させる第１のストッパー手段と、停止した状態の平板の各々の第１の方向から第２の方向への移動を自在とすると共に平板の少なくともいずれか一方の外周縁の一部に接して移動時の支点を構成する支点手段と、移動した平板の各々が第２の方向に向かった位置で平板の少なくともいずれか一方を停止させる第２のストッパー手段とからなる移動制御手段とを備えたものである。
【００１５】
このように構成すると、平板の第１の方向への移動は第１のストッパー手段によって停止し、平板の支点手段を介した第２の方向への移動は第２のストッパー手段によって停止する。
【００１６】
請求項４記載の発明は、請求項３記載の発明の構成において、移動制御手段は、各々の上面が平坦面の一部を構成し、外周側と内周側とに配置され、各々の上面に硬球を介して平板の各々が載置される一対の水平部材を更に含み、各々が平坦面より上方に突出し、水平部材の外方側の一方における内側の端縁と、水平部材の内方側の他方における外側の端縁とに沿って伸びる一対の端縁部材を更に備え、第１のストッパー手段は、平坦面から上方に突出し、第１のガイド手段と第２のガイド手段とに接続されると共に、水平部材の一方における外側の端縁に沿って伸び、支点手段は、平坦面から上方に突出し、その一方端部が第１のガイド手段に接続されると共に、水平部材の他方における内側の端縁に沿って第１の方向と平行に伸び、第２のストッパー手段は、平坦面から上方に突出し、その両端の各々が支点手段の他方端部と第２のガイド手段とに接続されると共に、第２の方向と平行に伸び、第１のストッパー手段と第２のストッパー手段と支点手段との平坦面からの高さは、硬球の直径より大きくなるように設定されるものである。
【００１７】
このように構成すると、水平部材の各々の上面は、第１のストッパー手段と支点手段と第２のストッパー手段と端縁部材とで囲われた状態となる。また、水平部材の各々は、一対の平板の各々の移動範囲と対応した大きさとなる。
【００１８】
請求項５記載の発明は、請求項１から請求項４のいずれかに記載の発明の構成において、移動制御手段には、平板が第１の方向から第２の方向へと移動するのに伴って通過する範囲のうち、第１の方向側のほぼ半分の部分に硬球が配置されるものである。
【００１９】
このように構成すると、硬球は平板に従って転動しながら移動し、移動制御手段内の硬球の数は一定の範囲に維持される。
【００２０】
請求項６記載の発明は、コンクリートブロックを、平坦面に配置された複数の硬球の上に載置された平板を介して第１の移動方向から第１の移動方向に対して所定角度折れ曲がった第２の方向へと移動させるための移送器具であって、第１の移動方向へ平板を移動させるために、コンクリートブロックをガイドする第１のガイド手段と、第２の移動方向へ平板を移動させるために、コンクリートブロックをガイドする第２のガイド手段と、第１のガイド手段と第２のガイド手段との間に接続され、コンクリートブロックの第１の方向への移動を停止させる第１のストッパー手段と、停止した状態のコンクリートブロックの第１の方向から第２の方向への移動を自在とすると共にコンクリートブロックの外面の一部に接して移動時の支点を構成する支点手段と、移動したコンクリートブロックが第２の方向に向かった位置でコンクリートブロックを停止させる第２のストッパー手段とからなる移動制御手段とを備えたものである。
【００２１】
このように構成すると、コンクリートブロックの第１の方向への移動は第１のストッパー手段によって停止し、コンクリートブロックの支点手段を介した第２の方向への移動は第２のストッパー手段によって停止する。
【発明の効果】
【００２２】
以上説明したように、請求項１記載の発明は、平板の移動は第１のストッパー手段及び第２のストッパー手段によって制御されるため、平板上にコンクリートブロックを載置し、停止するまで第１の方向へと移動させた後、停止するまで支点手段を介して第２の方向へと移動させるだけで、容易かつ確実にコンクリートブロックの進路を変えることが可能となる。
【００２３】
請求項２記載の発明は、請求項１記載の発明の効果に加えて、第１のストッパー手段と支点手段と第２のストッパー手段とで、平坦面が囲われた状態となるため、硬球の平坦面上からの脱落が防止される。また、第１のストッパー手段と支点手段と第２のストッパー手段との高さは、硬球の直径より大きく設定されているため、平板が平坦面から脱落してしまうことも防止される。
【００２４】
請求項３記載の発明は、平板の移動は第１のストッパー手段及び第２のストッパー手段によって制御されるため、平板上にコンクリートブロックを載置し、停止するまで第１の方向へと移動させた後、停止するまで支点手段を介して第２の方向へと移動させるだけで、容易かつ確実にコンクリートブロックの進路を変えることが可能となる。
【００２５】
請求項４記載の発明は、請求項３記載の発明の効果に加えて、水平部材の各々の上面は、第１のストッパー手段と支点手段と第２のストッパー手段と端縁部材とで囲われた状態となるため、硬球の平坦面上からの脱落が防止される。また、第１のストッパー手段と支点手段と第２のストッパー手段との高さは、硬球の直径より大きく設定されているため、平板が平坦面から脱落してしまうことも防止される。また、水平部材の各々は、一対の平板の各々の移動範囲と対応した大きさとなるため、効率的に形成することが可能となる。
【００２６】
請求項５記載の発明は、請求項１から請求項４のいずれかに記載の発明の効果に加えて、硬球は平板に従って転動しながら移動し、移動制御手段内の硬球の数は一定範囲に維持されるため、硬球の配置が効率的となり、また、平板の移動を妨げることが防止される。
【００２７】
請求項６記載の発明は、コンクリートブロックの移動は第１のストッパー手段及び第２のストッパー手段によって制御されるため、平板上にコンクリートブロックを載置し、停止するまで第１の方向へと移動させた後、停止するまで支点手段を介して第２の方向へと移動させるだけで、容易かつ確実にコンクリートブロックの進路を変えることが可能となる。
【発明を実施するための最良の形態】
【００２８】
図１は、この発明の第１の実施の形態によるコンクリートブロックの移送器具の概略構成を示した平面図である。
【００２９】
図を参照して、コンクリートブロックの移送器具１５は、第１のガイド手段を構成し、図における上下方向に直線状に伸びる一対のガイドレール２１ａ及び２１ｂと、第２のガイド手段を構成し、ガイドレール２１ａ及び２１ｂの各々の伸びる方向に対して角度θだけ右方向に折れ曲がって直線状に伸びる一対のガイドレール２９ａ及び２９ｂと、ガイドレール２１ａ及び２１ｂの各々とガイドレール２９ａ及び２９ｂの各々とを接続するように取り付けられる一対のカーブレール３１ａ及び３１ｂとから構成されている。この移送器具１５は、コンクリートブロックであるボックスカルバート１６をガイドレール２１ａ及び２１ｂの伸びる第１の方向から、第１の方向に対して角度θだけ折れ曲がった第２の方向へと移動させるために用いられるものである。
【００３０】
ここでまず、この実施の形態におけるボックスカルバート１６の移送方法について説明する。
【００３１】
図２は、この発明の第１の実施の形態によるコンクリートブロックの移送方法の概略を示した図であり、図３は、図２で示したＩＩＩ−ＩＩＩラインの断面図であり、図４は、図３で示した”Ｚ”部分の拡大図である。
【００３２】
これらの図を参照して、基礎コンクリート１９上に一対のガイドレール２１ａ及び２１ｂが設置されており、これらの上方にボックスカルバート１６が設置されている。尚、ガイドレール２１ａ及び２１ｂは、基礎コンクリート１９への設置時に水平度が確保されている。
【００３３】
ガイドレール２１ａは、図４に示されるように、例えば溝形鋼よりなり、その上面に平坦面を有する水平部材２４ａと、水平部材２４ａの外側の端縁に沿って水平部材２４ａの上面に溶接された丸棒２６ａと、同様に水平部材２４ａの内側の端縁に沿って水平部材２４ａの上面に溶接された丸棒２７ａとから構成されている。そして、水平部材２４ａの上面には、例えばベアリングに用いられるような硬球２３が複数配置されている。更に、複数の硬球２３上には、例えば鋼板よりなる平板２２ａが、水平部材２４ａの上面と対向し、ガイドレール２１ａに沿って伸びるように設置されている。この平板２２ａは、この実施の形態においては細長い矩形形状を有し、その長手方向の寸法はボックスカルバート１６の寸法に対応した大きさに設定され、その幅方向の寸法は、丸棒２６ａ及び丸棒２７ａの間隔とほぼ同じ大きさに設定されている。
【００３４】
また、丸棒２６ａの直径は、硬球２３の直径より大きく、且つ硬球２３の直径と平板２２ａの厚みの合計よりも小さくなるように設定されているため、丸棒２６ａの上端は、平板２２ａの上面の水平レベルと下面の水平レベルとの間に位置している。一方、丸棒２７ａの直径は硬球２３の直径より小さくなるように設定されているため、丸棒２７ａの上端は、平板２２ａの下面の水平レベルより下方に位置している。
【００３５】
尚、他方のガイドレール２１ｂについても、水平部材２４ｂと丸棒２６ｂと丸棒２７ｂとからガイドレール２１ａと対称に形成されており、ガイドレール２１ｂの上方には複数の硬球を介して平板２２ｂが設置されている。
【００３６】
このようにガイドレール２１ａ及び２１ｂ上に硬球２３を介して設置された平板２２ａ及び２２ｂ上に、図２の二点鎖線及び破線で示すように、ワイヤー１８を介して吊下げたボックスカルバート１６を設置する。そして、図２の破線で示した位置に設置されたボックスカルバート１６を矢印の方向へと水平方向に移動させる。このとき、ボックスカルバート１６は、平板２２ａ及び２２ｂと一体となって、硬球２３の転がりを介して水平部材２４ａ及び２４ｂに対して移動するため、ガイドレール２１ａ及び２１ｂに対する抵抗が減少する。これにより、ボックスカルバート１６をスムーズに移動させることが可能となる。尚、移動させる際には、コンクリートブロックの大きさや重量に応じて、ウインチ等を用いても良い。
【００３７】
また、この移動の際において、ガイドレール２１ａの丸棒２６ａは、上述したようにその上端位置が平板２２ａの下面の水平レベルと上面の水平レベルとの間に位置しているため、平板２２ａの端縁に対するガイドとして機能する。そして、丸棒２７ａによって、硬球２３の内側方向へのそれ以上の移動は防止されている。
【００３８】
図１に戻って、上記のようなガイドレール２１ａ及び２１ｂよりなる第１のガイド手段によって平板２２ａ及び２２ｂがガイドされるため、平板２２ａ及び２２ｂを介して設置されたボックスカルバート１６を、図１の矢印で示した第１の方向へと移動させることが可能となる。
【００３９】
尚、第２のガイド手段を構成する一対のガイドレール２９ａ及び２９ｂは、それぞれガイドレール２１ａ及び２１ｂと同様に構成されている。したがって、平板２２ａ及び２２ｂがガイドレール２９ａ及び２９ｂ上に位置するときには、ガイドレール２９ａ及び２９ｂによって平板２２ａ及び２２ｂの端縁がガイドされるため、ボックスカルバートを第２の方向へと移動させることが可能である。
【００４０】
次に、この実施の形態による移送器具１５におけるカーブレール３１ａ及び３１ｂについて説明する。
【００４１】
図５は、図１で示したＶ−Ｖラインの拡大端面図であり、図６は、図１で示したＶＩ−ＶＩラインの拡大断面図である。
【００４２】
これらの図と先の図１とを併せて参照して、カーブレール３１ａ及び３１ｂは、ガイドレール２１ａ及び２１ｂの各々と、これらの伸びる方向に対して角度θ折れ曲がった方向へと伸びるガイドレール２９ａ及び２９ｂの各々を接続するように取り付けられている。外方側のカーブレール３１ａと内方側のカーブレール３１ｂとは共に、ボックスカルバート１６が載置された平板２２ａ及び２２ｂをガイドレール２９ａ及び２９ｂの方向へと移動させる際の移動を制御するための移動制御手段として機能するものであるが、この点については後述する。
【００４３】
カーブレール３１ａ及び３１ｂは、上面に平坦面を有し、基礎コンクリート１９上に設置された水平部材３２ａ及び３２ｂと、水平部材の上面に取り付けられた丸棒３３ａ及び３３ｂと丸棒３４ａ及び３４ｂとから構成されている。
【００４４】
水平部材３２ａは、平面視においてＶ−Ｖラインを中心にほぼ左右対称形状を有し、その外側部分の外郭が平面視ほぼＭ字形に形成されると共に、その内側部分の外郭がガイドレール２１ａの内側の端縁の延長線と、ガイドレール２９ａの内側の端縁の延長線とに対応する形状に形成されている。例えば、鋼板等の平板を用いて水平部材３２ａを形成することができる。水平部材３２ａがこのような外郭形状に形成されているのは、平板２２ａの方向転換を可能とするためであるが、この点の詳細についても後述する。また、水平部材３２ｂは、外郭形状は水平部材３２ａとは若干異なるがほぼ同様に形成されている。
【００４５】
丸棒３３ａは、第１のストッパー手段を構成する部材であり、水平部材３２ａの上面から上方に突出し、ガイドレール２１ａ及び２９ａに接続されると共に、水平部材３２ａの外側の端縁に沿って伸びるように、水平部材３２ａに取り付けられている。丸棒３３ａの水平部材３２ａ上面からの高さは、硬球２３の直径より大きく設定されているため、図５の二点鎖線で示すように平板２２ａを配置したときに、丸棒３３ａの上端は平板２２ａの下面より上方の水平レベルに位置している。
【００４６】
丸棒３３ｂにおけるガイドレール２１ａ側の部分である直線部４０ａは、支点手段を構成する部材であり、水平部材３２ｂの上面から上方に突出し、ガイドレール２１ｂに接続されると共に、水平部材３２ｂの内側の端縁に沿って第１の方向（ガイドレール２１ｂと平行な方向）に伸びるように、水平部材３２ｂに取り付けられている。また、丸棒３３ｂにおける他の部分である直線部４０ｂは、水平部材３２ｂの上面から上方に突出し、その両端の各々がガイドレール２１ｂ及び２９ｂの各々に接続されると共に、第２の方向（ガイドレール２９ｂと平行な方向）に伸びるように、水平部材３２ｂに取り付けられている。尚、丸棒３３ｂの寸法は、丸棒３３ａと同様に設定されている。
【００４７】
丸棒３４ａ及び３４ｂは、端縁部材を構成する部材であり、各々が水平部材３２ａ及び３２ｂの上面から上方に突出するように取り付けられている。一方の丸棒３４ａは、外方側に配置された水平部材３２ａの内側の端縁に沿うように水平部材３２ａに取り付けられ、他方の丸棒３４ｂは、内方側に配置された水平部材３２ｂの外側の端縁に沿うように水平部材３２ｂに取り付けられている。丸棒３４ａの水平部材３２ａ上面からの高さは、硬球２３の直径より小さく設定されているため、図５に示されるように、その上端は配置された平板２２ａの下面より下方の水平レベルに位置することになる。
【００４８】
これらのカーブレール３１ａ及び３１ｂの各々の水平方向の大きさは、図１の下方向からガイドレール２１ａ及び２１ｂと平行な第１の方向（図１の上方）へと移動してきた平板２２ａ及び２２ｂを、ガイドレール２９ｂと平行な第２の方向（図１の右上方向）へと旋回させる際に、平板２２ａ及び２２ｂの各々が通過する範囲より大きくなるように設定されている。
【００４９】
図７は、図１で示したカーブレールによる移動制御機能を説明するための図である。
【００５０】
図を参照して、まず、平板２２ａ及び２２ｂ上に載置された図示しないボックスカルバートを、ガイドレール２１ｂと平行な第１の方向（図における右方向）へと移動させると、平板２２ａ及び平板２２ｂは、丸棒３３ａの直線部３６ｃ及び丸棒３３ｂの直線部４０ａの少なくとも一方にガイドされて、図の破線で示した位置まで移動する。このとき、丸棒３３ａの上端は平板２２ａの下面より上方となるように設定されているため、平板２２ａの外側の端縁の先端の点Ｄが直線部３６ｄの端部３８の部分に当接する。このように、第１のストッパー手段を構成する丸棒３３ａによって平板２２ａを介してボックスカルバートの移動が停止する。
【００５１】
すると、他方の平板２２ｂもまた図の破線の位置で停止する。このとき、平板２２ｂはカーブレール３１ｂの丸棒３３ｂの直線部４０ａと丸棒３４ｂの直線部４１ｃとに沿った状態となる。
【００５２】
次に、平板２２ａ及び２２ｂの上面に載置されたボックスカルバートを、ガイドレール２９ｂと平行な第２の方向（図においては時計回りの方向）へと旋回させる。丸棒３３ｂは、上述のように、その上端が平板２２ｂの下面の水平レベルと上面の水平レベルとの間に位置するようにその寸法が設定されているため、支点手段を構成する直線部４０ａの端部４２は平板２２ｂの回転の支点として機能することになる。
【００５３】
また、カーブレール３１ａの丸棒３３ａの直線部３６ａ及び３６ｄは、端部４２と対応する平板２２ｂの外周縁上の点Ｏを支点として平板２２ａを回転させたときに、平板２２ａの外周縁上において点Ｏから最も遠い点Ｃ及び点Ｄの移動軌跡より外方側を囲うように取り付けられている。更に、カーブレール３１ａの丸棒３４ａの直線部３７ｂは、平板２２ａの外周縁上において点Ｏから最も近い点Ｅの移動軌跡より内方側を囲うように取り付けられている。同様に、カーブレール３１ｂの丸棒３４ｂの直線部４１ａ及び４１ｄはそれぞれ、平板２２ｂの外周縁上の点Ａ及び点Ｂの移動軌跡より外方側を囲うように取り付けられている。
【００５４】
このようにカーブレール３１ａ及び３１ｂが構成されているため、平板２２ａ及び２２ｂは、水平部材３２ａ及び３２ｂ上の複数の硬球から外れることなく安定して回転することが可能である。
【００５５】
更に、直線部４０ａの端部４２を支点としてボックスカルバートを旋回させると、平板２２ａ及び２２ｂは共に二点鎖線で示した位置へと向かって移動する。そして、平板２２ｂと第２のストッパー手段を構成する丸棒３３ｂの直線部４０ｂとが当接することによって、平板２２ｂは第２の方向へに向かった位置で（二点鎖線で示した位置）その移動が停止する。尚、この実施の形態では、外方側のカーブレール３１ａの直線部３６ｂもまた平板２２ａと当接して、平板２２ａに対するストッパー手段として機能する。
【００５６】
ここで更に、カーブレール３１ａ及び３１ｂ上の硬球の配置について説明する。
【００５７】
図８は、図１で示した移送器具における平板と硬球の移動距離の関係を説明するための模式図である。
【００５８】
まず、図８の（１）は、平板２２の回転前の状態を模式的に示したものであり、水平部材３２上に複数の硬球２３ａ〜２３ｎが配置され、これらの硬球２３ａ〜２３ｎ上に平板２２が設置されている。このときの平板２２の端部４４の位置をＳとし、硬球２３ｎの位置をＮとする。そして、この状態から平板２２を位置Ｓから距離Ｄだけ離れた位置Ｐまで移動させる状況を想定する。
【００５９】
次に、図８の（２）を参照して、平板を矢印の方向へと移動させると、平板２２の端部４４は硬球２３ａを介して右方向に移動し、硬球２３ａの隣の硬球２３ｂへと乗り移る。このとき、位置Ｓからの硬球２３ａの転動による移動距離をｄ１とすると、平板２２は硬球２３ａに対して距離ｄ１だけ右方向に移動するため、平板２２の端部の位置Ｓからの移動量は２ｄ１となる。また、硬球２３ａはその右方向への転動に伴って、他の硬球２３ｂ〜２３ｎを右方向へと移動させるため、硬球２３ｎもまた平板２２の移動前の位置Ｎから距離ｄ１だけ移動する。
【００６０】
更に平板２２を右方向に移動させると、図８の（３）に示すように、平板２２の端部は次々と隣接する硬球に乗り移りながら移動し、平板２２の下面と接した状態の硬球２３ａもまた平板２２に従って右方向へと移動する。このとき、硬球２３ａの位置Ｓからの移動距離をｄ２とすると、平板２２の端部４４は位置Ｓから距離２ｄ２だけ右方向に移動する。また、硬球２３ｎは、図８の（２）と同様に他の硬球に押されるため、位置Ｎから距離ｄ２離れた位置まで移動する。
【００６１】
そして、図８の（４）に示すように、平板２２の端部４４を位置Ｐまで移動させたとき、硬球２３ａの位置Ｓからの移動距離は端部４４の移動距離Ｄの半分のＤ／２となる。すると、硬球２３ｎもまた他の硬球に押されて位置Ｎから距離Ｄ／２だけ移動することになるため、硬球２３ｎは平板２２の移動に従って、平板２２の端部４４の下方、すなわち、ちょうど位置Ｐへと到達する。
【００６２】
以上のように、位置Ｓから位置Ｐまで平板を移動させる際には、位置Ｓから距離Ｄ／２の範囲、すなわち平板２２の移動範囲の半分に硬球を配置しておけば良い。
【００６３】
図７に戻って、平板２２ａ及び２２ｂの移動範囲のうち、破線で示した第１の方向側の半分に硬球を配置すれば、平板２２ａ及び２２ｂの移動に伴って硬球が移動するため、二点鎖線で示した第２の方向へと平板２２ａ及び２２ｂを移動させることが可能である。また、硬球は、平板２２ａ及び２２ｂのガイドレール２１ｂ側からの移動に伴ってカーブレール３１ａ及び３１ｂ上に順次送り込まれ、ガイドレール２９ｂ側への移動に伴って順次硬球が送り出されるため、カーブレール３１ａ及び３１ｂ上の硬球の数は一定の範囲内に維持されることになる。したがって、硬球の配置を効率的に行うことができ、且つ、硬球が詰まることによって平板２２ａ及び２２ｂの移動を妨げることも防止される。
【００６４】
図９は、この発明の第１の実施の形態による移送器具を用いてコンクリートブロックを移送する過程を示した概略図であり、図１０は、図９に続くコンクリートブロックの移送過程を示した概略図である。
【００６５】
まず、図９の（１）を参照して、平板２２ａ及び２２ｂ上に設置されたボックスカルバート１６を図の左方向から矢印で示した第１の方向に移動させる際には、上述したように第１のガイド手段であるガイドレール２１ａ及び２１ｂによって平板２２ａ及び２２ｂがガイドされている。
【００６６】
更にボックスカルバート１６を右方向に移動させると、図９の（２）に示すように、平板２２ａ及び２２ｂは、ガイドレール２１ａ及び２１ｂ、カーブレール３１ａの直線部３６ｃ、カーブレール３１ｂの直線部４０ａの少なくとも１つにガイドされるため、カーブレール３１ａ及び３１ｂ上を引き続き矢印で示した第１の方向へと移動する。
【００６７】
そして、図９の（３）に示すように、平板２２ａの外側の先端が、第１のストッパー手段を構成する丸棒３３ａの直線部３６ｄの端部３８の部分に当接することによって、ボックスカルバート１６の移動が停止する。この状態から、支点手段を構成する直線部４０ａの端部４２を支点としてボックスカルバート１６を回転させることが可能となる。ボックスカルバート１６の第２の方向への移動に伴って、平板２２ａ及び２２ｂは矢印で示した方向へと移動する。
【００６８】
続いて図１０の（１）を参照して、カーブレール３１ａ及び３１ｂは、上述したように直線部４０ａの端部４２を支点として平板２２ａ及び２２ｂが移動する際に通過する範囲より大きく設定されているため、平板２２ａ及び２２ｂはカーブレール３１ａ及び３１ｂによってその移動が阻止されることはなく、矢印の方向へと移動する。
【００６９】
次に、図１０の（２）に示すように、平板２２ｂと第２のストッパー手段を構成する丸棒３３ｂの直線部４０ｂとが当接すると共に、平板２２ａと丸棒３３ａの直線部３６ｂとが当接することによって、平板２２ａ及び２２ｂの移動が停止する。これによって、ボックスカルバート１６は、第１の方向からガイドレール２９ａ及び２９ｂと平行な第２の方向への方向転換が完了する。
【００７０】
そして、図１０の（３）を参照して、ボックスカルバート１６を矢印で示した第２の方向へと移動させると、カーブレール３１ｂの直線部４０ｂ、第２のガイド手段であるガイドレール２９ａ及び２９ｂの少なくとも１つによって、平板２２ａ及び２２ｂの移動がガイドされることになる。
【００７１】
以上のように、ボックスカルバート１６の移送時には、平板２２ａ及び２２ｂ上にボックスカルバート１６を載置して停止するまで第１の方向へと移動させた後、支点手段を介して停止するまで第２の方向へと移動させるだけで、容易且つ確実にボックスカルバート１６の進路を変更することが可能となる。
【００７２】
また、カーブレール３１ａ及び３１ｂは、例えば平板状の水平部材と一対の丸棒を用いて容易に構成することができるため、特殊な方向転換装置は不要となり、コスト面でも経済的となる。特に、この実施の形態では、水平部材３２ａ及び３２ｂの形状は、平板２２ａ及び２２ｂの通過範囲に対応する形状であるため、カーブレール３１ａ及び３１ｂを効率的に形成することができる。
【００７３】
更に、カーブレール３１ａ及び３１ｂの丸棒３３ａ及び３３ｂの水平部材３２ａ及び３２ｂからの高さは硬球の直径より大きいため、平板２２ａ及び２２ｂがその方向転換の際にカーブレール３１ａ及び３１ｂから脱落してしまうことが防止されている。また、丸棒３４ａ及び３４ｂの各々によって、硬球がカーブレール３１ａ及び３１ｂから脱落することも防止されている。
【００７４】
図１１は、この発明の第２の実施の形態による移送器具の概略構成を示した平面図である。
【００７５】
この実施の形態による移送器具１５においては、移動制御手段を構成するカーブレール３１の形状が先の第１の実施の形態によるものとは異なっている。以下、相違点を中心に説明する。
【００７６】
カーブレール３１は、上面に平坦面を有する１つの水平部材３２と、水平部材３２の外周部分に取り付けられ、第１のストッパー手段を構成する丸棒３３ａと、水平部材３２の内周部分に取り付けられ、支点手段を構成する丸棒３３ｂの直線部４０ａと、第２のストッパー手段を構成する丸棒３３ｂの直線部４０ｂとを中心として構成されている。この実施の形態によるカーブレール３１は、ボックスカルバート１６を第１の方向に対して９０°折れ曲がった第２の方向に移動させるためのものである。したがって、水平部材３２の寸法は、丸棒３３ｂの端部４２を中心に平板２２ａ及び２２ｂが回転する際の移動範囲（図の一点鎖線）より大きく設定されている。尚、水平部材３２の他の端縁部分には、硬球２３の脱落を防止するための丸棒３４ａ及び３４ｂが取り付けられている。
【００７７】
この実施の形態による移送器具１５においても、ボックスカルバート１６の移送方法は先の第１の実施の形態と同様である。すなわち、平板２２ａ及び２２ｂ上に載置されたボックスカルバート１６を、図の実線で示した位置から矢印で示した第１の方向へと移動させると、平板２２ａの先端が第１のストッパー手段を構成する丸棒３３ａの直線部３６ｂに当接し、平板２２ａ及び２２ｂは破線で示した位置で停止する。この状態から、支点手段を構成する直線部３３ｂの端部４２を介して平板２２ａ及び２２ｂを図における時計回り方向に回転させ、平板２２ｂが第１の方向に対して９０°折れ曲がった第２の方向に向かった位置となると、平板２２ｂの外側の端縁が第２のストッパー手段を構成する丸棒３３ｂの直線部４０ｂに当接し、ボックスカルバート１６は二点鎖線で示した位置で停止する。そして、丸棒３３ｂの直線部４０ｂをガイドとして、矢印の方向へと移動させると、ボックスカルバート１６を第１の方向から第２の方向へと移送することができる。
【００７８】
この実施の形態にあっても、平板２２ａ及び２２ｂ上に載置したボックスカルバート１６を、停止するまで第１の方向へと移動させ、停止するまで第２の方向へと回転させるだけで、容易且つ確実にコンクリートブロックの進路を変更することが可能となる。
【００７９】
尚、上記の各実施の形態では、ボックスカルバートを移動させるための移送具に適用しているが、アーチカルバートや、貯水槽、ガレージ、Ｌ形擁壁、水路、側溝、擁壁ブロック等の他の形状のコンクリートブロックにも同様に適用できることはいうまでもない。
【００８０】
また、上記の各実施の形態では、第１のストッパー手段は丸棒３３ａによって形成されているが、必ずしもこのように構成する必要はなく、平板の第１の方向への移動を停止させるものであれば他の部材で構成しても良い。また、平板とは必ずしも先端において当接する必要はなく、平板の形状に応じて他の部分に当接しても良い。
【００８１】
更に、上記の各実施の形態では、支点手段と第２のストッパー手段とは、丸棒３３ｂによって一体的に形成されているが、必ずしもこのように構成する必要はなく、これらを別々の部材で形成しても良い。
【００８２】
更に、上記の各実施の形態では、支点手段は丸棒３３ｂの直線部４０ａによって構成され、その端部４２が平板の回転の支点として機能するが、必ずしもこのように構成する必要はなく、平板を第１の方向から第２の方向へと移動自在とし、且つ平板の外周縁の一部に接して平板の移動時の支点となり得るものであれば、他の材料を用いて他の形状に形成しても良い。
【００８３】
更に、上記の各実施の形態では、第１及び第２のストッパー部材と支点部材とを構成する丸棒３３ａ及び３３ｂは、水平部材の端縁部分に接続されているが、端縁より内方側に取り付けても良い。また、必ずしも丸棒である必要はなく、平坦面を構成する水平部材の上面から上方に突出する形状のものであれば他の形状の部材を用いて形成しても良い。
【００８４】
更に、上記の各実施の形態では、水平部材は平板状の材料を用いて形成されているが、その上面で平坦面を構成することができる材料であれば必ずしも平板でなくても良い。
【００８５】
更に、上記の各実施の形態では、水平部材を備えているが、水平部材は必ずしも必要なものではなく、硬球を配置する平坦面さえあれば、平坦面に第１及び第２のストッパー部材と支点部材とを取り付けて移動制御手段を形成しても良い。例えば、鋼板等の複数の平板を敷き詰めて、または、一枚の平板を用いて形成した平坦面の上に、丸棒等の部材を所定位置に溶接して移動制御手段を構成しても良い。また、コンクリートブロックの大きさや重量によっては、基礎コンクリート上に第１及び第２のストッパー部材と支点部材とを取り付け、基礎コンクリート上に直接硬球を配置しても良い。
【００８６】
更に、上記の各実施の形態では、平板２２ｂの外側端縁の中点が直線部４０ａの端部４２に接した状態で、平板２２ａ及び２２ｂが移動できるようにカーブレールが形成されているが、必ずしも平板２２ｂの端縁の中点である必要はなく、平板いずれか一方の外周縁上の他の一点と、支点手段における支点部分とが接するようにしても良い。
【００８７】
更に、上記の各実施の形態では、丸棒３３ａ及び３３ｂ、丸棒３４ａ及び３４ｂは、折れ線状に伸びるように取り付けられているが、曲線状に伸びるように取り付けても良い。
【００８８】
更に、上記の各実施の形態において、第１のガイド手段、第２のガイド手段及び移動制御手段であるカーブレールは、平板の移動を制御するように構成されているが、幅方向の両端側の部材（丸棒２６及び丸棒３３）の平坦面からの高さを、硬球の直径と平板の厚みとの合計より大きく設定し、直接コンクリートブロックの側壁をガイドして、その移動を制御するように構成しても良い。
【００８９】
更に、上記の第１の実施の形態では、支点部材は、内方側のカーブレール３１ｂの内側端縁に取り付けられた丸棒３３ｂの直線部４０ａによって構成されているが、このように構成する代わりに、丸棒３３ａ、丸棒３４ａ及び３４ｂのいずれかの寸法を変更し、平板２２ｂの外側の端縁以外の部分と支点とが接するような支点部材を構成することも可能である。
【００９０】
更に、上記の第１の実施の形態では、第１のストッパー手段は、外方側のカーブレール３１ａの外側端縁に取り付けられた丸棒３３ａによって構成されているが、このように構成する代わりに、丸棒３４ｂの寸法を変更して、平板２２ｂの端縁と当接するような第１のストッパー手段を構成することも可能である。
【００９１】
更に、上記の第１の実施の形態では、第２のストッパー手段は、内方側のカーブレール３１ｂの内側端縁に取り付けられた丸棒３３ｂの直線部４０ｂによって構成されているが、このように構成する代わりに、丸棒３３ａ、丸棒３４ａ及び３４ｂのいずれかの寸法を変更し、平板２２ｂの外側の端縁以外の部分に当接するような第２のストッパー手段を構成することも可能である。
【００９２】
更に、上記の第１の実施の形態では、丸棒３３ｂの直線部４０ｂ（内方側のカーブレール３１ｂ）に加えて、丸棒３３ａの直線部３６ｂ（外方側のカーブレール３１ａ）もストッパー手段として機能しているが、必ずしもこのように構成する必要はなく、少なくとも第２のストッパー手段が、一対の平板のいずれか一方の第２の方向への移動を停止することができるように構成されていれば良い。
【００９３】
更に、上記の第１の実施の形態では、端縁部材である丸棒３４ａ及び３４ｂの水平部材３２ａ及び３２ｂ上面からの高さは、硬球２３の直径より小さく設定されているが、硬球２３の直径より大きく設定しても良い。このように構成すれば、丸棒３４ａ及び３４ｂもまた、平板２２ａ及び２２ｂに対するストッパー及びガイドとして機能するため、平板２２ａ及び２２ｂの移動がより確実となる。
【００９４】
更に、上記の第１の実施の形態では、一対の水平部材３２ａ及び３２ｂを備えているが、必ずしもこのように構成する必要はなく、丸棒３３ａ及び３３ｂと丸棒３４ａ及び３４ｂに相当する部材を平坦面上に直接取り付けても良い。
【００９５】
更に、上記の第１の実施の形態の図５に示した構成において、丸棒３３ａ及び３３ｂの各々と、丸棒３４ａ及び３４ｂの各々との取り付け位置を入れ替えたカーブレール３１ａ及び３１ｂを構成しても良い。このように取り付け位置を入れ替えた場合でも、丸棒３３ａ及び３３ｂが、平板２２ａ及び２２ｂに対する支点手段、第１及び第２のストッパー手段と機能し、第１の実施の形態によるものと同様の効果を発揮する。
【００９６】
更に、上記の第２の実施の形態では、ボックスカルバートは一対の平板２２ａ及び２２ｂを介して設置されているが、必ずしもこのように構成する必要はなく、第１のガイド手段及び第２のガイド手段の形状を変更して、一枚の平板上にコンクリートブロックを載置するようにしても良い。
【図面の簡単な説明】
【００９７】
【図１】この発明の第１の実施の形態によるコンクリートブロックの移送器具の概略構成を示した平面図である。
【図２】この発明の第１の実施の形態によるコンクリートブロックの移送方法の概略を示した図である。
【図３】図２で示したＩＩＩ−ＩＩＩラインの断面図である。
【図４】図３で示した”Ｚ”部分の拡大図である。
【図５】図１で示したＶ−Ｖラインの拡大端面図である。
【図６】図１で示したＶＩ−ＶＩラインの拡大断面図である。
【図７】図１で示したカーブレールによる移動制御機能を説明するための図である。
【図８】図１で示した移送器具における平板と硬球の移動距離の関係を説明するための模式図である。
【図９】この発明の第１の実施の形態による移送器具を用いてコンクリートブロックを移送する過程を示した概略図である。
【図１０】図９に続くコンクリートブロックの移送過程を示した概略図である。
【図１１】この発明の第２の実施の形態による移送器具の概略構成を示した平面図である。
【図１２】従来のコンクリートブロックの設置方法の概略図である。
【図１３】図１２で示したＸＩＩＩ−ＸＩＩＩラインの断面図である。
【図１４】図１３で示した”Ｙ”部分の拡大図である。
【符号の説明】
【００９８】
１５…移送器具
１６…ボックスカルバート
２１、２９…ガイドレール
２２…平板
２３…硬球
２４、３２…水平部材
３１…カーブレール
３３、３４…丸棒
３６、３７、４０、４１…直線部
３８、４２…端部
尚、各図中同一符号は同一または相当部分を示す。
【図１】
2006152642.tif 000003
【図２】
2006152642.tif 000004
【図３】
2006152642.tif 000005
【図４】
2006152642.tif 000006
【図５】
2006152642.tif 000007
【図６】
2006152642.tif 000008
【図７】
2006152642.tif 000009
【図８】
2006152642.tif 000010
【図９】
2006152642.tif 000011
【図１０】
2006152642.tif 000012
【図１１】
2006152642.tif 000013
【図１２】
2006152642.tif 000014
【図１３】
2006152642.tif 000015
【図１４】
2006152642.tif 000016
【手続補正書】
【提出日】平成17年7月5日(2005.7.5)
【手続補正１】
【補正対象書類名】明細書
【補正対象項目名】００１０
【補正方法】変更
【補正の内容】
【００１０】
上記の目的を達成するために、請求項１記載の発明は、コンクリートブロックを、平坦面に配置された複数の硬球の上に載置された平板を介して第１の方向から第１の方向に対して所定角度折れ曲がった第２の方向へと移動させるための移送器具であって、第１の方向へ平板を移動させるために、平板の外周縁をガイドする第１のガイド手段と、第２の方向へ平板を移動させるために、平板の外周縁をガイドする第２のガイド手段と、第１のガイド手段と第２のガイド手段との間に接続され、平板の第１の方向への移動を停止させる第１のストッパー手段と、停止した状態の平板の第１の方向から第２の方向への移動を自在とすると共に平板の外周縁の一部に接して移動時の支点を構成する支点手段と、移動した平板が第２の方向に向かった位置で平板を停止させる第２のストッパー手段とからなる移動制御手段とを備えたものである。
【手続補正２】
【補正対象書類名】明細書
【補正対象項目名】００１４
【補正方法】変更
【補正の内容】
【００１４】
請求項３記載の発明は、コンクリートブロックを、平坦面に配置された複数の硬球の上に載置された互いに平行に伸びる一対の平板を介して第１の方向から第１の方向に対して所定角度折れ曲がった第２の方向へと移動させるための移送器具であって、第１の方向へ平板を移動させるために、平板の各々の外周縁をガイドする第１のガイド手段と、第２の方向へ平板を移動させるために、平板の各々の外周縁をガイドする第２のガイド手段と、第１のガイド手段と第２のガイド手段との間に接続され、平板の少なくともいずれか一方の第１の方向への移動を停止させる第１のストッパー手段と、停止した状態の平板の各々の第１の方向から第２の方向への移動を自在とすると共に平板の少なくともいずれか一方の外周縁の一部に接して移動時の支点を構成する支点手段と、移動した平板の各々が第２の方向に向かった位置で平板の少なくともいずれか一方を停止させる第２のストッパー手段とからなる移動制御手段とを備えたものである。
【手続補正３】
【補正対象書類名】明細書
【補正対象項目名】００２０
【補正方法】変更
【補正の内容】
【００２０】
請求項６記載の発明は、コンクリートブロックを、平坦面に配置された複数の硬球の上に載置された平板を介して第１の方向から第１の方向に対して所定角度折れ曲がった第２の方向へと移動させるための移送器具であって、第１の方向へ平板を移動させるために、コンクリートブロックをガイドする第１のガイド手段と、第２の方向へ平板を移動させるために、コンクリートブロックをガイドする第２のガイド手段と、第１のガイド手段と第２のガイド手段との間に接続され、コンクリートブロックの第１の方向への移動を停止させる第１のストッパー手段と、停止した状態のコンクリートブロックの第１の方向から第２の方向への移動を自在とすると共にコンクリートブロックの外面の一部に接して移動時の支点を構成する支点手段と、移動したコンクリートブロックが第２の方向に向かった位置でコンクリートブロックを停止させる第２のストッパー手段とからなる移動制御手段とを備えたものである。
【手続補正４】
【補正対象書類名】特許請求の範囲
【補正対象項目名】全文
【補正方法】変更
【補正の内容】
【特許請求の範囲】
【請求項１】
コンクリートブロックを、平坦面に配置された複数の硬球の上に載置された平板を介して第１の方向から前記第１の方向に対して所定角度折れ曲がった第２の方向へと移動させるための移送器具であって、
前記第１の方向へ前記平板を移動させるために、前記平板の外周縁をガイドする第１のガイド手段と、
前記第２の方向へ前記平板を移動させるために、前記平板の外周縁をガイドする第２のガイド手段と、
前記第１のガイド手段と前記第２のガイド手段との間に接続され、前記平板の前記第１の方向への移動を停止させる第１のストッパー手段と、前記停止した状態の前記平板の前記第１の方向から前記第２の方向への移動を自在とすると共に前記平板の外周縁の一部に接して移動時の支点を構成する支点手段と、前記移動した平板が前記第２の方向に向かった位置で前記平板を停止させる第２のストッパー手段とからなる移動制御手段とを備えた、移送器具。
【請求項２】
前記第１のストッパー手段は、前記平坦面から上方に突出し、前記第１のガイド手段と前記第２のガイド手段とに接続されると共に、前記平板が前記第１の方向から前記第２の方向への移動に伴って通過する範囲の外周部分を囲うように伸び、
前記支点手段は、前記平坦面から上方に突出し、前記移送器具の内周側において、その一方端部が前記第１のガイド手段に接続されると共に前記第１の方向と平行に伸び、
前記第２のストッパー手段は、前記平坦面から上方に突出し、その両端の各々が前記支点手段の他方端部と前記第２のガイド手段とに接続されると共に、前記第２の方向と平行に伸び、
前記第１のストッパー手段と前記第２のストッパー手段と前記支点手段との前記平坦面からの高さは、前記硬球の直径より大きくなるように設定される、請求項１記載の設置器具。
【請求項３】
コンクリートブロックを、平坦面に配置された複数の硬球の上に載置された互いに平行に伸びる一対の平板を介して第１の方向から前記第１の方向に対して所定角度折れ曲がった第２の方向へと移動させるための移送器具であって、
前記第１の方向へ前記平板を移動させるために、前記平板の各々の外周縁をガイドする第１のガイド手段と、
前記第２の方向へ前記平板を移動させるために、前記平板の各々の外周縁をガイドする第２のガイド手段と、
前記第１のガイド手段と前記第２のガイド手段との間に接続され、前記平板の少なくともいずれか一方の前記第１の方向への移動を停止させる第１のストッパー手段と、前記停止した状態の前記平板の各々の前記第１の方向から前記第２の方向への移動を自在とすると共に前記平板の少なくともいずれか一方の外周縁の一部に接して移動時の支点を構成する支点手段と、前記移動した平板の各々が前記第２の方向に向かった位置で前記平板の少なくともいずれか一方を停止させる第２のストッパー手段とからなる移動制御手段とを備えた、移送器具。
【請求項４】
前記移動制御手段は、各々の上面が前記平坦面の一部を構成し、外周側と内周側とに配置され、各々の上面に前記硬球を介して前記平板の各々が載置される一対の水平部材を更に含み、
各々が前記平坦面より上方に突出し、前記水平部材の外方側の一方における内側の端縁と、前記水平部材の内方側の他方における外側の端縁とに沿って伸びる一対の端縁部材を更に備え、
前記第１のストッパー手段は、前記平坦面から上方に突出し、前記第１のガイド手段と前記第２のガイド手段とに接続されると共に、前記水平部材の前記一方における外側の端縁に沿って伸び、
前記支点手段は、前記平坦面から上方に突出し、その一方端部が前記第１のガイド手段に接続されると共に、前記水平部材の前記他方における内側の端縁に沿って前記第１の方向と平行に伸び、
前記第２のストッパー手段は、前記平坦面から上方に突出し、その両端の各々が前記支点手段の他方端部と前記第２のガイド手段とに接続されると共に、前記第２の方向と平行に伸び、
前記第１のストッパー手段と前記第２のストッパー手段と前記支点手段との前記平坦面からの高さは、前記硬球の直径より大きくなるように設定される、請求項３記載の設置器具。
【請求項５】
前記移動制御手段には、前記平板が前記第１の方向から前記第２の方向へと移動するのに伴って通過する範囲のうち、前記第１の方向側のほぼ半分の部分に前記硬球が配置される、請求項１から請求項４のいずれかに記載の移送器具。
【請求項６】
コンクリートブロックを、平坦面に配置された複数の硬球の上に載置された平板を介して第１の方向から前記第１の方向に対して所定角度折れ曲がった第２の方向へと移動させるための移送器具であって、
前記第１の方向へ前記コンクリートブロックを移動させるために、前記コンクリートブロックをガイドする第１のガイド手段と、
前記第２の方向へ前記コンクリートブロックを移動させるために、前記コンクリートブロックをガイドする第２のガイド手段と、
前記第１のガイド手段と前記第２のガイド手段との間に接続され、前記コンクリートブロックの前記第１の方向への移動を停止させる第１のストッパー手段と、前記停止した状態の前記コンクリートブロックの前記第１の方向から前記第２の方向への移動を自在とすると共に前記コンクリートブロックの外面の一部に接して移動時の支点を構成する支点手段と、前記移動したコンクリートブロックが前記第２の方向に向かった位置で前記コンクリートブロックを停止させる第２のストッパー手段とからなる移動制御手段とを備えた、移送器具。
【手続補正書】
【提出日】平成17年9月7日(2005.9.7)
【手続補正１】
【補正対象書類名】明細書
【補正対象項目名】００２０
【補正方法】削除
【補正の内容】
【手続補正２】
【補正対象書類名】明細書
【補正対象項目名】００２１
【補正方法】削除
【補正の内容】
【手続補正３】
【補正対象書類名】明細書
【補正対象項目名】００２７
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
コンクリートブロックを、平坦面に配置された複数の硬球の上に載置された平板を介して第１の方向から前記第１の方向に対して所定角度折れ曲がった第２の方向へと移動させるための移送器具であって、
前記第１の方向へ前記平板を移動させるために、前記平板の外周縁をガイドする第１のガイド手段と、
前記第２の方向へ前記平板を移動させるために、前記平板の外周縁をガイドする第２のガイド手段と、
前記第１のガイド手段と前記第２のガイド手段との間に接続され、前記平板の前記第１の方向への移動を停止させる第１のストッパー手段と、前記停止した状態の前記平板の前記第１の方向から前記第２の方向への移動を自在とすると共に前記平板の外周縁の一部に接して移動時の支点を構成する支点手段と、前記移動した平板が前記第２の方向に向かった位置で前記平板を停止させる第２のストッパー手段とからなる移動制御手段とを備えた、移送器具。
【請求項２】
前記第１のストッパー手段は、前記平坦面から上方に突出し、前記第１のガイド手段と前記第２のガイド手段とに接続されると共に、前記平板が前記第１の方向から前記第２の方向への移動に伴って通過する範囲の外周部分を囲うように伸び、
前記支点手段は、前記平坦面から上方に突出し、前記移送器具の内周側において、その一方端部が前記第１のガイド手段に接続されると共に前記第１の方向と平行に伸び、
前記第２のストッパー手段は、前記平坦面から上方に突出し、その両端の各々が前記支点手段の他方端部と前記第２のガイド手段とに接続されると共に、前記第２の方向と平行に伸び、
前記第１のストッパー手段と前記第２のストッパー手段と前記支点手段との前記平坦面からの高さは、前記硬球の直径より大きくなるように設定される、請求項１記載の設置器具。
【請求項３】
コンクリートブロックを、平坦面に配置された複数の硬球の上に載置された互いに平行に伸びる一対の平板を介して第１の方向から前記第１の方向に対して所定角度折れ曲がった第２の方向へと移動させるための移送器具であって、
前記第１の方向へ前記平板を移動させるために、前記平板の各々の外周縁をガイドする第１のガイド手段と、
前記第２の方向へ前記平板を移動させるために、前記平板の各々の外周縁をガイドする第２のガイド手段と、
前記第１のガイド手段と前記第２のガイド手段との間に接続され、前記平板の少なくともいずれか一方の前記第１の方向への移動を停止させる第１のストッパー手段と、前記停止した状態の前記平板の各々の前記第１の方向から前記第２の方向への移動を自在とすると共に前記平板の少なくともいずれか一方の外周縁の一部に接して移動時の支点を構成する支点手段と、前記移動した平板の各々が前記第２の方向に向かった位置で前記平板の少なくともいずれか一方を停止させる第２のストッパー手段とからなる移動制御手段とを備えた、移送器具。
【請求項４】
前記移動制御手段は、各々の上面が前記平坦面の一部を構成し、外周側と内周側とに配置され、各々の上面に前記硬球を介して前記平板の各々が載置される一対の水平部材を更に含み、
各々が前記平坦面より上方に突出し、前記水平部材の外方側の一方における内側の端縁と、前記水平部材の内方側の他方における外側の端縁とに沿って伸びる一対の端縁部材を更に備え、
前記第１のストッパー手段は、前記平坦面から上方に突出し、前記第１のガイド手段と前記第２のガイド手段とに接続されると共に、前記水平部材の前記一方における外側の端縁に沿って伸び、
前記支点手段は、前記平坦面から上方に突出し、その一方端部が前記第１のガイド手段に接続されると共に、前記水平部材の前記他方における内側の端縁に沿って前記第１の方向と平行に伸び、
前記第２のストッパー手段は、前記平坦面から上方に突出し、その両端の各々が前記支点手段の他方端部と前記第２のガイド手段とに接続されると共に、前記第２の方向と平行に伸び、
前記第１のストッパー手段と前記第２のストッパー手段と前記支点手段との前記平坦面からの高さは、前記硬球の直径より大きくなるように設定される、請求項３記載の設置器具。
【請求項５】
前記移動制御手段には、前記平板が前記第１の方向から前記第２の方向へと移動するのに伴って通過する範囲のうち、前記第１の方向側のほぼ半分の部分に前記硬球が配置される、請求項１から請求項４のいずれかに記載の移送器具。